(57)【要約】      （修正有）【課題】表示部を拡大することが可能な電子機器を提供する。【解決手段】第１カメラと、第１偏光板と、第２偏光板と、第１偏光板と第２偏光板との間に設けられた液晶パネルと、を備え、液晶パネルは、第１走査線Ｇ１と、第１走査線と交差する第１信号線Ｓ１と、第１走査線及び第１信号線と電気的に接続された第１スイッチング素子ＳＷ１と、第１スイッチング素子と電気的に接続された第１制御電極ＣＴ１と、を備え、第１制御電極は、第１カメラに重畳し、環状の第１領域Ａ２１に設けられている、電子機器。【選択図】図５
2020098245.tif 000002
【特許請求の範囲】
【請求項１】
第１カメラと、
第１偏光板と、
第２偏光板と、
前記第１偏光板と前記第２偏光板との間に設けられた液晶パネルと、を備え、
前記液晶パネルは、
第１走査線と、
前記第１走査線と交差する第１信号線と、
前記第１走査線及び前記第１信号線と電気的に接続された第１スイッチング素子と、
前記第１スイッチング素子と電気的に接続された第１制御電極と、を備え、
前記第１制御電極は、前記第１カメラに重畳し、環状の第１領域に設けられている、電子機器。
【請求項２】
前記第１走査線及び前記第１信号線は、前記第１領域に沿って円弧状に形成されている、請求項１に記載の電子機器。
【請求項３】
前記第１制御電極は、環状の第１ベース電極と、複数の第１帯電極と、を備え、
前記第１帯電極は、前記第１ベース電極に接続されている、請求項１または２に記載の電子機器。
【請求項４】
前記液晶パネルは、さらに、液晶層と、前記第１カメラと前記液晶層との間に設けられた共通電極と、前記共通電極と前記液晶層との間に設けられた絶縁膜と、を備え、
前記第１制御電極は、前記絶縁膜と前記液晶層との間に設けられ、前記共通電極に重畳している、請求項３に記載の電子機器。
【請求項５】
前記液晶パネルは、さらに、液晶層と、前記第１カメラと前記液晶層との間に設けられた共通電極と、を備え、
前記共通電極は、前記第１帯電極と交互に並んだ第２帯電極を備えている、請求項３に記載の電子機器。
【請求項６】
前記第１制御電極に供給される電圧の極性は、前記共通電極に供給される電圧の極性とは逆極性である、請求項５に記載の電子機器。
【請求項７】
前記液晶パネルは、さらに、画素電極を備え、
前記画素電極は、複数の第３帯電極を備え、
前記第３帯電極のピッチは、前記第１帯電極のピッチと同等であり、
前記第１帯電極及び前記第３帯電極は、前記第１走査線に対して斜めに交差する方向に延出し、
前記第１帯電極は、前記第３帯電極と平行に延出している、請求項４乃至６のいずれか１項に記載の電子機器。
【請求項８】
前記液晶パネルは、さらに、前記第１領域の外縁部に沿って設けられた遮光層を備えている、請求項１乃至７のいずれか１項に記載の電子機器。
【請求項９】
さらに、前記第１カメラの背面側に設けられた第２カメラを備え、
前記液晶パネルは、
第２走査線と、
前記第２走査線と交差する第２信号線と、
前記第２走査線及び前記第２信号線と電気的に接続された第２スイッチング素子と、
前記第２スイッチング素子と電気的に接続された第２制御電極と、を備え、
前記第２制御電極は、前記第２カメラに重畳し、環状の第２領域に設けられ、
前記液晶パネルは、前記第１領域と前記第２領域との間で折り曲げられている、請求項１乃至８のいずれか１項に記載の電子機器。
【請求項１０】
さらに、光源と、
前記光源と対向する側面を有する導光板と、を備え、
前記導光板は、第１貫通孔を有し、
前記第１カメラは、前記第１貫通孔に重畳している、請求項１乃至９のいずれか１項に記載の電子機器。
【請求項１１】
さらに、前記導光板と前記液晶パネルとの間に設けられた光学シートを備え、
前記光学シートは、前記第１貫通孔に重畳する第２貫通孔を有している、請求項１０に記載の電子機器。
【請求項１２】
さらに、反射シートを備え、
前記導光板は、前記反射シートと前記光学シートとの間に設けられ、
前記反射シートは、前記第１貫通孔に重畳する第３貫通孔を有している、請求項１１に記載の電子機器。
【発明の詳細な説明】
【技術分野】
【０００１】
本発明の実施形態は、電子機器に関する。
【背景技術】
【０００２】
近年、表示部及びカメラを同一面側に備えたスマートフォン等の電子機器が広く実用化されている。このような電子機器では、カメラが表示部の外側に設けられており、カメラを設置するためのスペースを確保する一方で、表示部を拡大する要望が高まっている。また、鮮明な写真を撮影可能とすることが要望されている。
【先行技術文献】
【特許文献】
【０００３】
【特許文献１】特開２０１７−４０９０８号公報
【発明の概要】
【発明が解決しようとする課題】
【０００４】
本実施形態の目的は、表示部を拡大することが可能な電子機器を提供することにある。
【課題を解決するための手段】
【０００５】
本実施形態によれば、
第１カメラと、第１偏光板と、第２偏光板と、前記第１偏光板と前記第２偏光板との間に設けられた液晶パネルと、を備え、前記液晶パネルは、第１走査線と、前記第１走査線と交差する第１信号線と、前記第１走査線及び前記第１信号線と電気的に接続された第１スイッチング素子と、前記第１スイッチング素子と電気的に接続された第１制御電極と、を備え、前記第１制御電極は、前記第１カメラに重畳し、環状の第１領域に設けられている、電子機器が提供される。
【図面の簡単な説明】
【０００６】
【図１】図１は、本実施形態の表示装置ＤＳＰの一構成例を示す分解斜視図である。
【図２】図２は、図１に示した表示装置ＤＳＰ及びカメラ１を含む断面図である。
【図３】図３は、図１に示した液晶パネルＰＮＬの一構成例を示す平面図である。
【図４】図４は、図３に示した画素ＰＸを含む液晶素子ＬＣＤの断面図である。
【図５】図５は、カメラ１に重畳する液晶素子ＬＣＤの一構成例を示す平面図である。
【図６】図６は、図５に示した制御電極ＣＴ１乃至ＣＴ３の一構成例を示す平面図である。
【図７】図７は、図６に示した制御電極ＣＴ１乃至ＣＴ３を拡大して示す平面図である。
【図８】図８は、図５に示した領域Ａ２１及びＡ２２を含む液晶素子ＬＣＤの断面図である。
【図９】図９は、領域Ａ２に設けられる遮光層ＢＭＢの一構成例を示す平面図である。
【図１０】図１０は、図５に示した制御電極ＣＴ１乃至ＣＴ３、及び、共通電極ＣＥの他の構成例を示す平面図である。
【図１１】図１１は、図１０に示した制御電極ＣＴ１及び共通電極ＣＥを含む液晶素子ＬＣＤの断面図である。
【図１２】図１２は、他の実施形態の電子機器１００を示す平面図である。
【図１３】図１３は、図１２に示した電子機器１００に適用される液晶パネルＰＮＬの一構成例を示す平面図である。
【図１４】図１４は、図１３に示した液晶パネルＰＮＬの折り曲げ状態を示す断面図である。
【図１５】図１５は、カメラ３０に重畳する液晶素子ＬＣＤの一構成例を示す平面図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態の表示装置ＤＳＰの一構成例を示す分解斜視図である。一例では、第１方向Ｘ、第２方向Ｙ、及び、第３方向Ｚは、互いに直交しているが、９０度以外の角度で交差していてもよい。第１方向Ｘ及び第２方向Ｙは、表示装置ＤＳＰを構成する基板の主面と平行な方向に相当し、第３方向Ｚは、表示装置ＤＳＰの厚さ方向に相当する。
【０００９】
表示装置ＤＳＰは、第１偏光板ＰＬ１及び第２偏光板ＰＬ２と、液晶パネルＰＮＬと、光学シートＯＳと、導光板ＬＧと、光源ＥＭと、反射シートＲＳと、を備えている。反射シートＲＳ、導光板ＬＧ、光学シートＯＳ、第１偏光板ＰＬ１、液晶パネルＰＮＬ、及び、第２偏光板ＰＬ２は、この順に第３方向Ｚに沿って並んでいる。複数の光源ＥＭは、第１方向Ｘに沿って間隔をおいて並んでいる。第１偏光板ＰＬ１、第２偏光板ＰＬ２、及び、液晶パネルＰＮＬは、第３方向Ｚに沿って進行する光に対して、光学的なスイッチ機能を備えた液晶素子ＬＣＤを構成している。このような液晶素子ＬＣＤは、第１方向Ｘ及び第２方向Ｙによって規定されるＸ−Ｙ平面内の領域毎に、透光または遮光する機能を発揮するものである。  
このような表示装置ＤＳＰを組み込んだ電子機器１００は、カメラ１を備えている。
【００１０】
液晶パネルＰＮＬは、例えばＸ−Ｙ平面と平行な平板状に形成されている。液晶パネルＰＮＬは、第１偏光板ＰＬ１と第２偏光板ＰＬ２との間に設けられている。液晶パネルＰＮＬは、画像を表示する表示部ＤＡと、表示部ＤＡを囲む額縁状の非表示部ＮＤＡと、を備えている。本実施形態では、液晶パネルＰＮＬが第３方向Ｚにおいてカメラ１に重畳しており、特に、表示部ＤＡがカメラ１に重畳している。液晶パネルＰＮＬの詳細な構成について、ここでは説明を省略するが、液晶パネルＰＮＬは、基板主面に沿った横電界を利用する表示モード、基板主面の法線に沿った縦電界を利用する表示モード、基板主面に対して斜め方向に傾斜した傾斜電界を利用する表示モード、さらには、上記の横電界、縦電界、及び、傾斜電界を適宜組み合わせて利用する表示モードに対応したいずれの構成を備えていてもよい。ここでの基板主面とは、Ｘ−Ｙ平面と平行な面である。
【００１１】
第１偏光板ＰＬ１及び第２偏光板ＰＬ２は、液晶パネルＰＮＬに対して、少なくとも表示部ＤＡに重畳するように配置されている。また、第１偏光板ＰＬ１及び第２偏光板ＰＬ２は、第３方向Ｚにおいて、カメラ１に重畳している。
【００１２】
導光板ＬＧは、光源ＥＭに対向する側面ＳＡと、側面ＳＡの反対側の側面ＳＢと、液晶パネルＰＮＬに対向する主面ＳＣと、主面ＳＣの反対側の主面ＳＤと、第１貫通孔ＴＨ１と、を有している。第１貫通孔ＴＨ１は、第２方向Ｙにおいて、側面ＳＡと側面ＳＢとの間に位置し、側面ＳＡよりも側面ＳＢに近接している。カメラ１は、第３方向Ｚにおいて、第１貫通孔ＴＨ１に重畳している。
【００１３】
複数の光学シートＯＳは、導光板ＬＧと液晶パネルＰＮＬとの間に設けられ、主面ＳＣに対向している。光学シートＯＳの各々は、第１貫通孔ＴＨ１に重畳する第２貫通孔ＴＨ２を有している。光学シートＯＳは、例えば、プリズムシートや拡散シートである。
【００１４】
反射シートＲＳは、主面ＳＤに対向している。つまり、導光板ＬＧは、反射シートＲＳと光学シートＯＳとの間に設けられている。反射シートＲＳは、第１貫通孔ＴＨ１に重畳する第３貫通孔ＴＨ３を有している。第３貫通孔ＴＨ３、第１貫通孔ＴＨ１、及び、第２貫通孔ＴＨ２は、第３方向Ｚに沿ってこの順に並び、同一直線上に設けられている。反射シートＲＳは、例えば金属からなるフレームに固定されていてもよい。その場合、フレームにも第１貫通孔ＴＨ１に重畳する貫通孔を設けてもよい。
【００１５】
光源ＥＭは、例えば、発光ダイオード（ＬＥＤ）であり、白色の照明光を出射する。光源ＥＭから出射される照明光は、側面ＳＡから入射し、導光板ＬＧの内部を進行する。そして、導光板ＬＧによって導光された照明光は、主面ＳＣから液晶パネルＰＮＬに向かって出射され、液晶パネルＰＮＬを照明する。液晶パネルＰＮＬ、第１偏光板ＰＬ１、及び、第２偏光板ＰＬ２は、表示部ＤＡにおいて、照明光を選択的に透過することで、画像を表示する。
【００１６】
図２は、図１に示した表示装置ＤＳＰ及びカメラ１を含む断面図である。液晶パネルＰＮＬは、第１基板ＳＵＢ１と、第２基板ＳＵＢ２と、液晶層ＬＣと、シールＳＥと、を備えている。シールＳＥは、非表示部ＮＤＡに設けられ、第１基板ＳＵＢ１と第２基板ＳＵＢ２とを接着するとともに、液晶層ＬＣを封止している。  
以下、第１基板ＳＵＢ１及び第２基板ＳＵＢ２の主要部について、簡単に説明する。第１基板ＳＵＢ１は、第１絶縁基板１０と、配向膜ＡＬ１と、を備えている。第２基板ＳＵＢ２は、第２絶縁基板２０と、カラーフィルタ層ＣＦと、遮光層ＢＭＡと、透明層ＯＣと、配向膜ＡＬ２と、を備えている。
【００１７】
第１絶縁基板１０及び第２絶縁基板２０は、ガラス基板や可撓性の樹脂基板などの透明基板である。配向膜ＡＬ１及びＡＬ２は、液晶層ＬＣに接している。カラーフィルタ層ＣＦ、遮光層ＢＭＡ、及び、透明層ＯＣは、第２絶縁基板２０と液晶層ＬＣとの間に設けられている。遮光層ＢＭＡは、非表示部ＮＤＡに設けられている。表示部ＤＡと非表示部ＮＤＡとの境界Ｂは、遮光層ＢＭＡの内側端に相当する。シールＳＥは、遮光層ＢＭＡと重畳する位置に設けられている。カラーフィルタ層ＣＦの詳細については、ここでは省略するが、例えば、カラーフィルタ層ＣＦは、赤色、緑色、青色のそれぞれのカラーフィルタを備えている。透明層ＯＣは、カラーフィルタ層ＣＦ及び遮光層ＢＭＡを覆っている。透明層ＯＣは、例えば、透明な有機絶縁膜である。
【００１８】
本実施形態において、表示部ＤＡは、カラーフィルタ層ＣＦが配置された領域Ａ１と、カラーフィルタ層ＣＦが配置されていない領域Ａ２と、を有している。透明層ＯＣは、領域Ａ１及び領域Ａ２に亘って配置され、領域Ａ１においてはカラーフィルタ層ＣＦに接し、領域Ａ２においては第２絶縁基板２０に接している。カメラ１と表示部ＤＡとの位置関係に着目すると、カメラ１は、領域Ａ２に重畳している。つまり、カラーフィルタ層ＣＦは、カメラ１に重畳していない。
【００１９】
第１偏光板ＰＬ１は、第１絶縁基板１０に接着されている。第２偏光板ＰＬ２は、第２絶縁基板２０に接着されている。第１偏光板ＰＬ１及び第２偏光板ＰＬ２は、領域Ａ１及び領域Ａ２に亘って配置され、カメラ１に重畳している。なお、第１偏光板ＰＬ１及び第２偏光板ＰＬ２は、必要に応じて位相差板、散乱層、反射防止層などを備えていてもよい。  
例えば、第２偏光板ＰＬ２または第１偏光板ＰＬ１に、超複屈折フィルムを備えることも可能である。超複屈折フィルムは、直線偏光が入射したときに透過光を非偏光化（自然光化）する。このため、被写体に偏光を発するものが含まれていても違和感なく撮影が可能となる。例えば、カメラ１の被写体に液晶表示装置等が映り込んだ場合に、液晶表示装置からは直線偏光が出射されているので、第１偏光板ＰＬ１及び第２偏光板ＰＬ２と、被写体となっている液晶表示装置の偏光板との角度の関係で、カメラ１に入射する被写体（液晶表示装置）の明るさが変化し、撮影時に違和感を生ずるおそれがある。しかしながら、第２偏光板ＰＬ２または第１偏光板ＰＬ１に超複屈折フィルムを備えることで、違和感を生じさせる明るさの変化を抑えることが可能である。  
超複屈折性を示すフィルムとしては、例えば東洋紡（株）のコスモシャイン(登録商標)などが好適に用いられる。ここで超複屈折性とは、可視域、例えば波長が５５０ｎｍの光に対して、８００ｎｍ以上の面内方向のリタデーションに相当する。
【００２０】
第１貫通孔ＴＨ１、第２貫通孔ＴＨ２、及び、第３貫通孔ＴＨ３は、互いに重畳し、液晶パネルＰＮＬの下方に開放されたスペースＳＰを形成している。カメラ１は、第１貫通孔ＴＨ１等によって形成されたスペースＳＰに設けられている。カメラ１は、例えば、少なくとも１つのレンズを含む光学系２と、イメージセンサ（撮像素子）３と、ケース４と、を備えている。ケース４は、光学系２及びイメージセンサ３を収容している。光学系２は、液晶パネルＰＮＬとイメージセンサ３との間に設けられており、カメラ１は液晶パネルＰＮＬを介して受光可能である。カメラ１は、配線基板Ｆに電気的に接続されている。なお、カメラ１は、必ずしも第１貫通孔ＴＨ１内に設けられる必要はなく、スペースＳＰの外側に設けられていてもよい。いずれにしても、カメラ１は、第３方向Ｚにおいて第１貫通孔ＴＨ１に重畳する位置に設けられていればよい。本実施形態では、第１貫通孔ＴＨ１に重畳するカメラ１を設けた例について説明したが、第１貫通孔ＴＨ１及び光学系２を通して照射された光を受光して電気信号を出力する受光素子が第１貫通孔ＴＨ１に重畳していてもよい。
【００２１】
本実施形態によれば、カメラ１は、液晶パネルＰＮＬの表示部ＤＡに重畳している。このため、非表示部ＮＤＡにカメラ１を設置するためのスペースを設ける必要がない。したがって、カメラ１が非表示部ＮＤＡに重畳している場合、あるいは、カメラ１が表示部ＤＡに重畳することなくカメラ１及び液晶パネルＰＮＬが第２方向Ｙに並んで配置された場合と比較して、表示部ＤＡを拡大することができ、非表示部ＮＤＡの額縁幅を縮小することができる。
【００２２】
また、カメラ１がカラーフィルタ層ＣＦに重畳していないため、液晶パネルＰＮＬを介してカメラ１に入射した光は、カラーフィルタ層ＣＦの影響をほとんど受けない。このため、カラーフィルタ層ＣＦによる不所望な吸収や色付きを抑制することができる。
【００２３】
なお、図２に示した例では、カラーフィルタ層ＣＦは、第２基板ＳＵＢ２に設けられたが、第１基板ＳＵＢ１に設けられていてもよい。また、カラーフィルタ層ＣＦは、他の観点では、領域Ａ２に設けられてもよい。
【００２４】
図３は、図１に示した液晶パネルＰＮＬの一構成例を示す平面図である。図３において、液晶層ＬＣ及びシールＳＥは、互いに異なる斜線で示している。表示部ＤＡは、ノッチ部を含まない略四角形の領域であり、シールＳＥで囲まれた内側に位置している。平面視で、領域Ａ２は、一点鎖線で示す略円形状に形成され、カメラ１に重畳している。なお、図３において、カメラ１の外形を点線で示している。領域Ａ２については後に詳述する。
【００２５】
カラーフィルタ層ＣＦが領域Ａ１に設けられ、領域Ａ２には設けられない場合、領域Ａ１はカラー表示が可能な領域に相当し、領域Ａ２はモノクロ表示が可能な領域に相当する。領域Ａ２では、白（または透明）表示から黒表示までの段階的な表示が可能であり、中間調（グレー）の表示も可能である。なお、カラーフィルタ層ＣＦが領域Ａ２に設けられた場合、領域Ａ２も、領域Ａ１と同様にカラー表示が可能である。
【００２６】
液晶パネルＰＮＬは、領域Ａ１において、第１方向Ｘ及び第２方向Ｙにマトリクス状に配列された画素ＰＸを備えている。画素ＰＸは、カメラ１に重畳していない。図３において拡大して示すように、各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。画素電極ＰＥは、スイッチング素子ＳＷと電気的に接続されている。画素電極ＰＥの各々は、共通電極ＣＥと対向している。液晶層ＬＣは、画素電極ＰＥと共通電極ＣＥとの間に生じる電界によって駆動される。容量ＣＳは、例えば、共通電極ＣＥと同電位の電極、及び、画素電極ＰＥと同電位の電極の間に形成される。
【００２７】
配線基板５は、第１基板ＳＵＢ１の延出部Ｅｘに実装されている。ＩＣチップ６は、配線基板５に電気的に接続されている。なお、ＩＣチップ６は、延出部Ｅｘに実装されてもよい。ＩＣチップ６は、例えば、画像表示に必要な信号を出力するディスプレイドライバなどを内蔵している。配線基板５は、折り曲げ可能なフレキシブルプリント回路基板である。
【００２８】
図４は、図３に示した画素ＰＸを含む液晶素子ＬＣＤの断面図である。ここでは、横電界を利用する表示モードに対応した液晶パネルＰＮＬを備えた液晶素子ＬＣＤについて説明する。液晶パネルＰＮＬは、第１偏光板ＰＬ１と第２偏光板ＰＬ２との間に設けられている。
【００２９】
第１基板ＳＵＢ１は、第１絶縁基板１０と配向膜ＡＬ１との間に、絶縁膜１１及び１２と、共通電極ＣＥと、画素電極ＰＥと、を備えている。なお、図３に示した走査線、信号線、及び、スイッチング素子は、例えば、第１絶縁基板１０と共通電極ＣＥとの間に設けられている。共通電極ＣＥは、絶縁膜１１の上に設けられ、絶縁膜１２によって覆われている。画素電極ＰＥは、絶縁膜１２の上に設けられ、配向膜ＡＬ１によって覆われている。画素電極ＰＥは、絶縁膜１２を介して、共通電極ＣＥと対向している。共通電極ＣＥ及び画素電極ＰＥは、インジウム・ティン・オキサイド（ＩＴＯ）やインジウム・ジンク・オキサイド（ＩＺＯ）などの透明な導電材料によって形成されている。絶縁膜１１は、詳述しないが、無機絶縁膜及び有機絶縁膜を含んでいる。絶縁膜１２は、例えば、シリコン窒化物等の無機絶縁膜である。
【００３０】
第２基板ＳＵＢ２において、遮光層ＢＭＢは、図２を参照して説明した非表示部ＮＤＡの遮光層ＢＭＡと一体的に形成されている。カラーフィルタ層ＣＦは、赤色のカラーフィルタＣＦＲ、緑色のカラーフィルタＣＦＧ、及び、青色のカラーフィルタＣＦＢを含んでいる。カラーフィルタＣＦＧは、画素電極ＰＥと対向している。他のカラーフィルタＣＦＲ及びＣＦＢも、それぞれ図示しない他の画素電極ＰＥと対向している。
【００３１】
液晶素子ＬＣＤを駆動する駆動部ＤＲは、例えば、図３に示した走査線Ｇと電気的に接続された走査線駆動回路、及び、信号線Ｓと電気的に接続された信号線駆動回路を含んでいる。駆動部ＤＲは、各画素ＰＸに対して、画像表示に必要な信号を出力し、液晶素子ＬＣＤの透過率を制御する。液晶素子ＬＣＤの透過率は、液晶層ＬＣに印加される電圧の大きさに応じて制御される。
【００３２】
例えば、画素ＰＸにおいて、液晶層ＬＣに電圧が印加されていないオフ状態では、液晶層ＬＣに含まれる液晶分子ＬＭは、配向膜ＡＬ１及びＡＬ２の間で所定の方向に初期配向している。このようなオフ状態では、図１に示した光源ＥＭから画素ＰＸに導光された光は、第１偏光板ＰＬ１及び第２偏光板ＰＬ２によって吸収される。このため、液晶素子ＬＣＤは、オフ状態の画素ＰＸにおいて、黒を表示する。  
一方、液晶層ＬＣに電圧が印加されたオン状態では、液晶分子ＬＭは、画素電極ＰＥと共通電極ＣＥとの間に形成された電界により初期配向方向とは異なる方向に配向し、その配向方向は電界によって制御される。このようなオン状態では、画素ＰＸに導光された光の一部は、第１偏光板ＰＬ１及び第２偏光板ＰＬ２を透過する。このため、液晶素子ＬＣＤは、オン状態の画素ＰＸにおいて、カラーフィルタ層ＣＦに応じた色を表示する。  
上記の例は、オフ状態で黒を表示する所謂ノーマリーブラックモードに相当するが、オン状態で黒を表示する（オフ状態で白を表示する）ノーマリーホワイトモードが適用されてもよい。
【００３３】
図５は、カメラ１に重畳する液晶素子ＬＣＤの一構成例を示す平面図である。液晶素子ＬＣＤは、カメラ１に重畳する領域Ａ２として、３つの領域Ａ２１乃至Ａ２３を有している。領域Ａ２１及びＡ２２は、それぞれ環状に形成されている。領域Ａ２３は、ほぼ円形状に形成されている。領域Ａ２２は領域Ａ２１の内側に隣接し、領域Ａ２３は領域Ａ２２の内側に隣接している。３つの領域Ａ２１乃至Ａ２３は、カメラ１の光軸ＯＸを中心としてほぼ等方的に形成される。なお、領域Ａ２は、４つ以上の領域に分割されてもよいし、２つの領域に分割されてもよい。また、環状の例として、外形が真円である場合を示しているが、外形が楕円等の真円以外の形状であってもよい。  
カメラ１は、図２を参照して説明したように、導光板ＬＧの第１貫通孔ＴＨ１に設けられており、３つの領域Ａ２１乃至Ａ２３はいずれも第１貫通孔ＴＨ１に重畳している。カメラ１の外形は点線で示し、第１貫通孔ＴＨ１は一点鎖線で示している。
【００３４】
制御電極ＣＴ１は、領域Ａ２１に設けられ、概略環状に形成されている。制御電極ＣＴ２は、領域Ａ２２に設けられ、概略環状に形成されている。制御電極ＣＴ３は、領域Ａ２３に設けられ、概略円形状に形成されている。
【００３５】
走査線Ｇ１は、領域Ａ１においては、第１方向Ｘに沿って延出している。信号線Ｓ１は、領域Ａ１においては、第２方向Ｙに沿って延出している。走査線Ｇ１及び信号線Ｓ１は、領域Ａ２１（あるいは制御電極ＣＴ１）の外縁部に沿って円弧状に形成されており、領域Ａ２１乃至Ａ２３には重畳しない。  
スイッチング素子ＳＷ１は、走査線Ｇ１及び信号線Ｓ１の交差部に設けられ、走査線Ｇ１及び信号線Ｓ１と電気的に接続されている。制御電極ＣＴ１は、スイッチング素子ＳＷ１と電気的に接続されている。
【００３６】
走査線Ｇ２は、第１方向Ｘに沿って延出し、領域Ａ２１と交差している。信号線Ｓ２は、第２方向Ｙに沿って延出し、領域Ａ２１と交差している。つまり、走査線Ｇ２の一部、及び、信号線Ｓ２の一部は、制御電極ＣＴ１に重畳している。また、走査線Ｇ２及び信号線Ｓ２は、領域Ａ２２（あるいは制御電極ＣＴ２）の外縁部に沿って円弧状に形成されており、領域Ａ２２及びＡ２３には重畳しない。また、走査線Ｇ２及び信号線Ｓ２は、領域Ａ２１及びＡ２２の間（あるいは制御電極ＣＴ１及びＣＴ２の間）に設けられている。  
スイッチング素子ＳＷ２は、走査線Ｇ２及び信号線Ｓ２の交差部に設けられ、走査線Ｇ２及び信号線Ｓ２と電気的に接続されている。制御電極ＣＴ２は、スイッチング素子ＳＷ２と電気的に接続されている。
【００３７】
走査線Ｇ３は、第１方向Ｘに沿って延出し、領域Ａ２１及びＡ２２と交差している。信号線Ｓ３は、第２方向Ｙに沿って延出し、領域Ａ２１及びＡ２２と交差している。つまり、走査線Ｇ３の一部、及び、信号線Ｓ３の一部は、制御電極ＣＴ１及びＣＴ２に重畳している。また、走査線Ｇ３及び信号線Ｓ３は、領域Ａ２３（あるいは制御電極ＣＴ３）の外縁部に沿って円弧状に形成されており、領域Ａ２３には重畳しない。また、走査線Ｇ３及び信号線Ｓ３は、領域Ａ２２及びＡ２３の間（あるいは制御電極ＣＴ２及びＣＴ３の間）に設けられている。  
スイッチング素子ＳＷ３は、走査線Ｇ３及び信号線Ｓ３の交差部に設けられ、走査線Ｇ３及び信号線Ｓ３と電気的に接続されている。制御電極ＣＴ３は、スイッチング素子ＳＷ３と電気的に接続されている。
【００３８】
図示した例では、走査線Ｇ１及びＧ３は、同一側（走査線Ｇ２から離間する側）に凸の半円形状に形成され、走査線Ｇ２は、走査線Ｇ３とは反対側（走査線Ｇ３から離間する側）に凸の半円形状に形成されている。これにより、走査線Ｇ１乃至Ｇ３は、領域Ａ２において交差しない。  
また、信号線Ｓ１及びＳ３は、同一側（信号線Ｓ２から離間する側）に凸の半円形状に形成され、信号線Ｓ２は、信号線Ｓ３とは反対側（信号線Ｓ３から離間する側）に凸の半円形状に形成されている。これにより、信号線Ｓ１乃至Ｓ３は、領域Ａ２において交差しない。
【００３９】
走査線Ｇ１に着目すると、領域Ａ１の画素ＰＸ１１において、走査線Ｇ１は、信号線Ｓ１１と交差している。信号線Ｓ１１は、領域Ａ２とは交差しない。スイッチング素子ＳＷ１１は、走査線Ｇ１及び信号線Ｓ１１の交差部に設けられ、走査線Ｇ１及び信号線Ｓ１１と電気的に接続されている。画素電極ＰＥ１１は、スイッチング素子ＳＷ１１と電気的に接続されている。他の走査線Ｇ２及びＧ３についても、領域Ａ１の各画素ＰＸでは、画素ＰＸ１１と同様に構成されている。  
信号線Ｓ１に着目すると、領域Ａ１の画素ＰＸ２１において、信号線Ｓ１は、走査線Ｇ２１と交差している。走査線Ｇ２１は、領域Ａ２とは交差しない。スイッチング素子ＳＷ２１は、走査線Ｇ２１及び信号線Ｓ１の交差部に設けられ、走査線Ｇ２１及び信号線Ｓ１と電気的に接続されている。画素電極ＰＥ２１は、スイッチング素子ＳＷ２１と電気的に接続されている。他の信号線Ｓ２及びＳ３についても、領域Ａ１の各画素ＰＸでは、画素ＰＸ２１と同様に構成されている。
【００４０】
なお、図示した例において、走査線Ｇ１、Ｇ３、及び、Ｇ２が第２方向Ｙに沿ってこの順に並んでいるが、並び順はこの例に限らない。また、走査線Ｇ１と走査線Ｇ３との間、あるいは、走査線Ｇ３と走査線Ｇ２との間に、他の走査線が介在していてもよい。  
同様に、信号線Ｓ１、Ｓ３、及び、Ｓ２が第１方向Ｘに沿ってこの順に並んでいるが、並び順はこの例に限らない。また、信号線Ｓ１と信号線Ｓ３との間、あるいは、信号線Ｓ３と信号線Ｓ２との間に他の信号線が介在していてもよい。
【００４１】
図６は、図５に示した制御電極ＣＴ１乃至ＣＴ３の一構成例を示す平面図である。  
制御電極ＣＴ１は、環状のベース電極Ｂ１１及びＢ１２と、複数の帯電極Ｐ１と、を備えている。ベース電極Ｂ１２は、ベース電極Ｂ１１の内側に設けられている。帯電極Ｐ１の各々は、ベース電極Ｂ１１及びＢ１２の間に設けられ、ベース電極Ｂ１１及びＢ１２に接続されている。  
制御電極ＣＴ２は、環状のベース電極Ｂ２１及びＢ２２と、複数の帯電極Ｐ２と、を備えている。ベース電極Ｂ２２は、ベース電極Ｂ２１の内側に設けられている。帯電極Ｐ２の各々は、ベース電極Ｂ２１及びＢ２２の間に設けられ、ベース電極Ｂ２１及びＢ２２に接続されている。  
制御電極ＣＴ３は、環状のベース電極Ｂ３１と、複数の帯電極Ｐ３と、を備えている。帯電極Ｐ３の各々は、ベース電極Ｂ３１の内側に設けられ、ベース電極Ｂ３１に接続されている。  
図示した例では、帯電極Ｐ１、ベース電極Ｂ１１及びＢ１２は一体的に形成され、帯電極Ｐ２、ベース電極Ｂ２１及びＢ２２は一体的に形成され、帯電極Ｐ３、ベース電極Ｂ３１及びＢ３２は一体的に形成されている。
【００４２】
図７は、図６に示した制御電極ＣＴ１乃至ＣＴ３を拡大して示す平面図である。  
帯電極Ｐ１乃至Ｐ３は、いずれも波状に形成され、概ね第２方向Ｙに沿って延出している。また、帯電極Ｐ１乃至Ｐ３は、第１方向Ｘに沿って等ピッチＰＴ１で並んでいる。  
一方、画素電極ＰＥ１１は、複数の帯電極ＰＡを備えている。帯電極ＰＡの形状は、帯電極Ｐ１の形状と同様であり、第１方向Ｘに沿ってピッチＰＴ２で並んでいる。ピッチＰＴ２は、ピッチＰＴ１と同等である。帯電極Ｐ１乃至Ｐ３、及び、帯電極ＰＡのそれぞれの延出方向は、走査線Ｇ１の延出方向（第１方向Ｘ）に対して斜めに交差する方向である。また、帯電極Ｐ１乃至Ｐ３の延出方向は、帯電極ＰＡの延出方向と平行である。
【００４３】
図４に示した遮光層ＢＭＢは、領域Ａ２にも設けられている。図示した例では、平面視で、遮光層ＢＭＢは、ベース電極Ｂ１１、ベース電極Ｂ１２及びＢ２１、及び、ベース電極Ｂ２２及びＢ３１にそれぞれ重畳し、帯電極Ｐ１乃至Ｐ３の一部にも重畳している。
【００４４】
図８は、図５に示した領域Ａ２１及びＡ２２を含む液晶素子ＬＣＤの断面図である。  
第１基板ＳＵＢ１において、絶縁膜１１及び１２、共通電極ＣＥ、及び、配向膜ＡＬ１は、図４に示した画素ＰＸから領域Ａ２１及びＡ２２に亘って延出している。つまり、共通電極ＣＥはカメラ１と液晶層ＬＣとの間に設けられ、絶縁膜１２は共通電極ＣＥと液晶層ＬＣとの間に設けられている。図７に示したベース電極Ｂ１１及びＢ１２、及び、帯電極Ｐ１を含む制御電極ＣＴ１は、絶縁膜１２と液晶層ＬＣとの間に設けられ、共通電極ＣＥに重畳している。また、ベース電極Ｂ２１及びＢ２２、及び、帯電極Ｐ２を含む制御電極ＣＴ２も、絶縁膜１２と液晶層ＬＣとの間に設けられ、共通電極ＣＥに重畳している。制御電極ＣＴ１及びＣＴ２は、図４に示した画素電極ＰＥと同一層に設けられ、画素電極ＰＥと同一材料である透明な導電材料によって形成されている。制御電極ＣＴ１及びＣＴ２は、配向膜ＡＬ１によって覆われている。図示しない制御電極ＣＴ３についても、制御電極ＣＴ１と同様に構成されている。  
第２基板ＳＵＢ２においては、カラーフィルタ層が設けられていない。すなわち、透明層ＯＣは、制御電極ＣＴ１及びＣＴ２の直上において、第２絶縁基板２０に接している。遮光層ＢＭＢは、制御電極ＣＴ１及びＣＴ２の間に設けられ、その一部が制御電極ＣＴ１及びＣＴ２と重畳している。
【００４５】
領域Ａ２１及びＡ２２における透過率は、図４に示した画素ＰＸと同様に、駆動部ＤＲにより制御される。すなわち、液晶素子ＬＣＤは、液晶層ＬＣに電圧が印加されていないオフ状態の領域Ａ２１及びＡ２２において、画素ＰＸと同様に、最小透過率を有し、黒を表示する。つまり、液晶素子ＬＣＤは、領域Ａ２１及びＡ２２において、遮光機能を発揮する。
【００４６】
一方、液晶層ＬＣに電圧が印加されたオン状態では、領域Ａ２１及びＡ２２の液晶分子ＬＭは、初期配向方向とは異なる方向に配向し、その配向方向は電界によって制御される。つまり、領域Ａ２１の液晶分子ＬＭの配向方向は、制御電極ＣＴ１と共通電極ＣＥとの間に形成された電界によって制御される。また、領域Ａ２２の液晶分子ＬＭの配向方向は、制御電極ＣＴ２と共通電極ＣＥとの間に形成された電界によって制御される。同様に、領域Ａ２３の液晶分子ＬＭの配向方向は、制御電極ＣＴ３と共通電極ＣＥとの間に形成された電界によって制御される。  
このようなオン状態では、領域Ａ２１及びＡ２２に導光された光の一部は、第１偏光板ＰＬ１及び第２偏光板ＰＬ２を透過する。液晶素子ＬＣＤは、オン状態の領域Ａ２１及びＡ２２において、最大透過率の場合に、白を表示する、あるいは、透明状態となる。また、液晶素子ＬＣＤは、最小透過率と最大透過率との間の中間透過率となるように制御された場合に、グレーを表示する場合もありうる。つまり、液晶素子ＬＣＤは、領域Ａ２１及びＡ２２において、透光機能を発揮する。図示しない領域Ａ２３の透過率についても、領域Ａ２１と同様に制御される。
【００４７】
図９は、領域Ａ２に設けられる遮光層ＢＭＢの一構成例を示す平面図である。遮光層ＢＭＢは、領域Ａ２１の外縁部に沿って設けられている。また、遮光層ＢＭＢは、領域Ａ２１の内縁部及び領域Ａ２２の外縁部に跨って設けられている。さらに、遮光層ＢＭＢは、領域Ａ２２の内縁部及び領域Ａ２３の外縁部に跨って設けられている。  
遮光層ＢＭＢは、領域Ａ２１の外側において走査線Ｇ１及び信号線Ｓ１と重畳し、領域Ａ２１において走査線Ｇ２及びＧ３、信号線Ｓ２及びＳ３、及び、スイッチング素子ＳＷ１と重畳している。遮光層ＢＭＢは、領域Ａ２２において、走査線Ｇ３、信号線Ｓ３、及び、スイッチング素子ＳＷ２と重畳している。遮光層ＢＭＢは、領域Ａ２３において、スイッチング素子ＳＷ３と重畳している。
【００４８】
このような液晶素子ＬＣＤは、領域Ａ２１乃至Ａ２３毎に透光または遮光することにより、カメラ１のシャッターとして機能することができる。すなわち、カメラ１が光を取り込み可能な状態において領域Ａ２１乃至Ａ２３のすべてがオフ状態に設定され、撮影に必要な時間だけ、領域Ａ２１乃至Ａ２３の少なくとも１つがオン状態にスイッチされことで、液晶素子ＬＣＤに入射した光がカメラ１に取り込まれる。
【００４９】
また、液晶素子ＬＣＤは、領域Ａ２１乃至Ａ２３毎に透光または遮光することにより、カメラ１に入射する光量を調整する絞りとして機能することができる。例えば、領域Ａ２１乃至Ａ２３のすべてがオン状態である第１絞り、領域Ａ２１がオフ状態であり領域Ａ２２及びＡ２３がオン状態である第２絞り、及び、領域Ａ２１及びＡ２２がオフ状態であり領域Ａ２３がオン状態である第３絞りを実現することができる。第１絞りの場合に、透光する光量あるいは透光する領域の面積が最大となる。また、第３絞りの場合に、透光する光量あるいは透光する領域の面積が最小となる。なお、領域Ａ２１乃至Ａ２３のすべてがオフ状態である場合には、透光する光量はほぼゼロである。透光する領域の面積が小さいほど、カメラ１に入射する光線が制限され、光学系２における収差の影響を低減することができ、鮮鋭度を向上することができ、さらには、焦点深度を大きくすることもできる。つまり、透光する領域の面積を調整することにより、被写体の明るさ、鮮鋭度、焦点深度などを調整することができる。また、周囲の明るさに応じてカメラ１に取り込む光の量を調整することができ、明るい場所でも暗い場所でも鮮明な写真を撮影することができる。
【００５０】
また、領域Ａ２の各制御電極ＣＴ１乃至ＣＴ３は、第１基板ＳＵＢ１において画素電極ＰＥと同様に構成されている。しかも、各制御電極ＣＴ１乃至ＣＴ３は、スイッチング素子を介して信号線と電気的に接続されているため、画素電極ＰＥに映像信号を書き込むのと同様に、ＩＣチップ６あるいはディスプレイドライバからの信号によって制御される。このため、新たな周辺装置の追加が抑制され、低コスト化、コンパクト化、及び、軽量化が可能となる。加えて、複数のカメラを用いることなく、光学特性を可変することができ、単体のカメラ１のみで、光学特性の異なる情報を取得することができ、より高品位な写真の撮影が可能となる。
【００５１】
また、制御電極ＣＴ１乃至ＣＴ３における帯電極Ｐ１乃至Ｐ３の延出方向は、画素電極ＰＥにおける帯電極ＰＡの延出方向と平行である。このため、領域Ａ１及びＡ２の双方に亘って配置される第１偏光板ＰＬ１及び第２偏光板ＰＬ２により、画素ＰＸの黒表示及びカラー表示のスイッチングが可能であるとともに、領域Ａ２１乃至Ａ２３の遮光及び透光のスイッチングが可能となる。
【００５２】
図１０は、図５に示した制御電極ＣＴ１乃至ＣＴ３、及び、共通電極ＣＥの他の構成例を示す平面図である。  
図６に示した例と同様に、制御電極ＣＴ１は、ベース電極Ｂ１１及びＢ１２と、複数の帯電極Ｐ１と、を備えている。制御電極ＣＴ２は、ベース電極Ｂ２１及びＢ２２と、複数の帯電極Ｐ２と、を備えている。制御電極ＣＴ３は、ベース電極Ｂ３１と、複数の帯電極Ｐ３と、を備えている。
【００５３】
共通電極ＣＥは、環状のベース電極Ｂ４１と、複数の帯電極Ｐ４と、を備えている。帯電極Ｐ４は、ベース電極Ｂ４１の内側に設けられ、ベース電極Ｂ４１と一体的に形成されている。帯電極Ｐ４の形状は、帯電極Ｐ１の形状と同様である。平面視で、帯電極Ｐ１及びＰ４は、交互に並んでいる。同様に、帯電極Ｐ２及びＰ４も交互に並び、帯電極Ｐ３及びＰ４も交互に並んでいる。帯電極Ｐ１のピッチ、帯電極Ｐ２のピッチ、帯電極Ｐ３のピッチ、及び、帯電極Ｐ４のピッチは、いずれも等しい。  
帯電極Ｐ４は、制御電極ＣＴ１と重畳する領域において、隣接する帯電極Ｐ１のほぼ中間に位置している。同様に、帯電極Ｐ４は、制御電極ＣＴ２と重畳する領域において、隣接する帯電極Ｐ２のほぼ中間に位置している。帯電極Ｐ４は、制御電極ＣＴ３と重畳する領域において、隣接する帯電極Ｐ３のほぼ中間に位置している。
【００５４】
なお、ここに示す共通電極ＣＥは、図４に示した画素ＰＸの共通電極ＣＥとは電気的に絶縁されていてもよいし、画素ＰＸの共通電極ＣＥと一体的に形成されていてもよい。
【００５５】
図１１は、図１０に示した制御電極ＣＴ１及び共通電極ＣＥを含む液晶素子ＬＣＤの断面図である。  
第１基板ＳＵＢ１において、共通電極ＣＥはカメラ１と液晶層ＬＣとの間に設けられ、絶縁膜１２は共通電極ＣＥと液晶層ＬＣとの間に設けられ、制御電極ＣＴ１は絶縁膜１２と液晶層ＬＣとの間に設けられている。制御電極ＣＴ１の帯電極Ｐ１、及び、共通電極ＣＥの帯電極Ｐ４は、第１方向Ｘに沿って交互に並んでいる。
【００５６】
制御電極ＣＴ１は、図５を参照して説明したように、スイッチング素子ＳＷ１を介して信号線Ｓ１と電気的に接続されている。共通電極ＣＥは、スイッチング素子ＳＷ４を介して信号線Ｓ４と電気的に接続されている。信号線Ｓ１及び信号線Ｓ４の位置関係については、特に限定されるものではないが、第１方向Ｘに沿って隣接する場合がある。例えば、信号線Ｓ１から供給される映像信号の極性は、信号線Ｓ４から供給される映像信号の極性とは逆である。図示した構成例において、信号線Ｓ１から制御電極ＣＴ１に供給される電圧の極性は、信号線Ｓ４から共通電極ＣＥに供給される電圧の極性とは逆極性である。これにより、制御電極ＣＴ１と共通電極ＣＥとの間により大きな電位差を形成することができる。
【００５７】
このような構成例によれば、上記の構成例と同様の効果が得られる。また、帯電極Ｐ１及びＰ４のピッチが図７を参照して説明した帯電極ＰＡのピッチＰＴ２より大きい場合であっても、液晶分子ＬＭの配向方向を制御するのに十分大きな電界を形成することができる。換言すると、領域Ａ２において隣接する帯電極の間隔は、画素ＰＸにおいて隣接する帯電極の間隔よりも拡大することができる。これにより、カメラ１に重畳する領域Ａ２における光の回折を抑制することができ、より高品位な写真の撮影が可能となる。
【００５８】
次に、他の実施形態について説明する。  
図１２は、他の実施形態の電子機器１００を示す平面図である。図１２の（Ａ）は、電子機器１００の正面側を示す平面図である。図３に示した構成例と同様に、カメラ１は、表示部ＤＡに重畳している。カメラ１は、電子機器１００の正面側を撮影するものである。図１２の（Ｂ）は、電子機器１００の背面側を示す平面図である。背面側には、正面側のカメラ１とは別のカメラ３０が設けられている。カメラ３０は、電子機器１００の背面側を撮影するものである。なお、背面側には、複数のカメラ３０が設けられる場合もありうる。
【００５９】
図１３は、図１２に示した電子機器１００に適用される液晶パネルＰＮＬの一構成例を示す平面図である。液晶パネルＰＮＬは、折り曲げ可能なフレキシブルディスプレイであるが、図１３に示した平面図では、折り曲げられていない状態を示している。液晶パネルＰＮＬは、折り曲げ部ＢＤを有している。液晶パネルＰＮＬは、折り曲げられた際に、カメラ３０に重畳する領域Ａ３を有している。領域Ａ３は、領域Ａ２と同様に構成され、液晶層ＬＣを含むものである。つまり、折り曲げ部ＢＤは、領域Ａ２と領域Ａ３との間に位置している。液晶パネルＰＮＬは、領域Ａ２と領域Ａ３との間で折り曲げられる。
【００６０】
図１４は、図１３に示した液晶パネルＰＮＬの折り曲げ状態を示す断面図である。なお、ここでは光学シート及び反射シートの図示を省略するが、光学シート及び反射シートは、折り曲げ部ＢＤよりもカメラ３０に近接する側には設けられていない。液晶パネルＰＮＬは、領域Ａ２と領域Ａ３との間で折り曲げられている。第１偏光板ＰＬ１及び第２偏光板ＰＬ２も、液晶パネルＰＮＬと同様に折り曲げられている。カメラ１及びカメラ３０は、折り曲げられた第１偏光板ＰＬ１の内側に設けられている。カメラ１は領域Ａ２に重畳し、カメラ３０は領域Ａ３０に重畳している。また、カメラ１及びカメラ３０の各々は、第１偏光板ＰＬ１及び第２偏光板ＰＬ２、及び、液晶パネルＰＮＬに重畳している。カメラ１によって受光される光Ｌ１の進行方向は、カメラ３０によって受光される光Ｌ３０の進行方向とは逆である。
【００６１】
図１５は、カメラ３０に重畳する液晶素子ＬＣＤの一構成例を示す平面図である。液晶素子ＬＣＤは、カメラ３０に重畳する領域Ａ３として、３つの領域Ａ３１乃至Ａ３３を有している。領域Ａ３１及びＡ３２は、それぞれ環状に形成されている。領域Ａ３３は、ほぼ円形状に形成されている。領域Ａ３２は領域Ａ３１の内側に隣接し、領域Ａ３３は領域Ａ３２の内側に隣接している。なお、領域Ａ３は、４つ以上の領域に分割されてもよいし、２つの領域に分割されてもよい。領域Ａ３１乃至Ａ３３は、図５に示した領域Ａ２１乃至Ａ２３と同様に構成されている。以下に、各領域について簡単に説明する。
【００６２】
スイッチング素子ＳＷ３１は、走査線Ｇ３１及び信号線Ｓ３１と電気的に接続されている。制御電極ＣＴ３１は、領域Ａ３１に設けられ、スイッチング素子ＳＷ３１と電気的に接続されている。スイッチング素子ＳＷ３２は、走査線Ｇ３２及び信号線Ｓ３２と電気的に接続されている。制御電極ＣＴ３２は、領域Ａ３２に設けられ、スイッチング素子ＳＷ３２と電気的に接続されている。スイッチング素子ＳＷ３３は、走査線Ｇ３３及び信号線Ｓ３３と電気的に接続されている。制御電極ＣＴ３３は、領域Ａ３３に設けられ、スイッチング素子ＳＷ３３と電気的に接続されている。制御電極ＣＴ３１乃至ＣＴ３３は、例えば、図６と同様に構成されている。
【００６３】
このような他の実施形態によれば、上記の実施形態と同様の効果が得られる。加えて、液晶素子ＬＣＤは、カメラ１及び３０の双方のシャッター機能あるいは絞り機能を実現することができる。これにより、メカニカルなシャッター機構あるいはメカニカルな絞り機構を備える電子機器と比較して、薄型化及び軽量化が可能となる。
【００６４】
以上説明したように、本実施形態によれば、表示部を拡大することが可能な電子機器を提供することができる。また、鮮明な写真を撮影することが可能な電子機器を提供することができる。
【００６５】
本実施形態において、例えば、カメラ１は第１カメラに相当し、偏光板ＰＬ１は第１偏光板に相当し、偏光板ＰＬ２は第２偏光板に相当し、走査線Ｇ１は第１走査線に相当し、信号線Ｓ１は第１信号線に相当し、スイッチング素子ＳＷ１は第１スイッチング素子に相当し、制御電極ＣＴ１は第１制御電極に相当し、領域Ａ２１は第１領域に相当し、ベース電極Ｂ１１は第１ベース電極に相当し、帯電極Ｐ１は第１帯電極に相当し、帯電極Ｐ４は第２帯電極に相当し、帯電極ＰＡは第３帯電極に相当する。  
また、カメラ３０は第２カメラに相当し、走査線Ｇ３１は第２走査線に相当し、信号線Ｓ３１は第２信号線に相当し、スイッチング素子ＳＷ３１は第２スイッチング素子に相当し、制御電極ＣＴ３１は第２制御電極に相当し、領域Ａ３１は第２領域に相当する。
【００６６】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６７】
１００…電子機器
ＤＳＰ…表示装置  ＬＣＤ…液晶素子  ＰＮＬ…液晶パネル  ＰＬ１…第１偏光板  ＰＬ２…第２偏光板
１…カメラ  ３０…カメラ
Ｇ…走査線  Ｓ…信号線  ＳＷ…スイッチング素子  ＣＴ…制御電極  ＣＥ…共通電極
【図１】
2020098245.tif 000003
【図２】
2020098245.tif 000004
【図３】
2020098245.tif 000005
【図４】
2020098245.tif 000006
【図５】
2020098245.tif 000007
【図６】
2020098245.tif 000008
【図７】
2020098245.tif 000009
【図８】
2020098245.tif 000010
【図９】
2020098245.tif 000011
【図１０】
2020098245.tif 000012
【図１１】
2020098245.tif 000013
【図１２】
2020098245.tif 000014
【図１３】
2020098245.tif 000015
【図１４】
2020098245.tif 000016
【図１５】
2020098245.tif 000017